(57)【特許請求の範囲】
【請求項１】
高速肯定応答／否定応答レポーティング（ＦＡＮＲ）動作の方法であって、
前記方法は、
無線リンク制御／メディアアクセス制御（ＲＬＣ／ＭＡＣ）ヘッダ及び対応するＲＬＣ／ＭＡＣデータブロックを含む一時ブロックフロー（Ｔｅｍｐｏｒａｒｙ  Ｂｌｏｃｋ  Ｆｌｏｗ）（ＴＢＦ）を受信するステップであって、前記ＲＬＣ／ＭＡＣヘッダは、肯定応答／否定応答（ＡＣＫ／ＮＡＣＫ）ポーリング方式に関する情報と、前記対応するＲＬＣ／ＭＡＣデータブロックのピギーバックＡＣＫ／ＮＡＣＫ（ＰＡＮ）フィールドの存在又は欠如とを同時に示す連続４ビットを含み、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、受信するステップと、
前記ＡＣＫ／ＮＡＣＫポーリング方式と前記対応するＲＬＣ／ＭＡＣデータブロックの前記ＰＡＮフィールドの存在又は欠如とを識別するように前記ＲＬＣ／ＭＡＣヘッダの前記連続４ビットを処理するステップと
を備えたことを特徴とする方法。
【請求項２】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項１に記載の方法。
【請求項３】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項１に記載の方法。
【請求項４】
前記ＴＢＦは、ＧＳＭ／ＥＤＧＥ無線アクセスネットワーク（ＧＥＲＡＮ）を介して受信されることを特徴とする請求項１に記載の方法。
【請求項５】
高速肯定応答／否定応答レポーティング（ＦＡＮＲ）動作のための無線送信／受信ユニット（ＷＴＲＵ）であって、
前記ＷＴＲＵは、
無線リンク制御／メディアアクセス制御（ＲＬＣ／ＭＡＣ）ヘッダ及び対応するＲＬＣ／ＭＡＣデータブロックを含む一時ブロックフロー（Ｔｅｍｐｏｒａｒｙ  Ｂｌｏｃｋ  Ｆｌｏｗ）（ＴＢＦ）を受信するように構成されたトランシーバであって、前記ＲＬＣ／ＭＡＣヘッダは、肯定応答／否定応答（ＡＣＫ／ＮＡＣＫ）ポーリング方式に関する情報と、前記対応するＲＬＣ／ＭＡＣデータブロックのピギーバックＡＣＫ／ＮＡＣＫ（ＰＡＮ）フィールドの存在又は欠如とを同時に示す連続４ビットを含み、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、トランシーバと、
前記ＡＣＫ／ＮＡＣＫポーリング方式と前記対応するＲＬＣ／ＭＡＣデータブロックの前記ＰＡＮフィールドの存在又は欠如とを識別するように前記ＲＬＣ／ＭＡＣヘッダの前記連続４ビットを処理するように構成されたコントローラと
を備えたことを特徴とする無線送信／受信ユニット。
【請求項６】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項５に記載の無線送信／受信ユニット。
【請求項７】
前記ＲＬＣ／ＭＡＣデータブロックの前記ＰＡＮフィールド及び前記ＲＬＣ／ＭＡＣデータブロックのデータは、異なる無線送信／受信ユニットにアドレス指定されていることを特徴とする請求項５に記載の無線送信／受信ユニット。
【請求項８】
前記ＴＢＦは、ＧＳＭ／ＥＤＧＥ無線アクセスネットワーク（ＧＥＲＡＮ）を介して受信されることを特徴とする請求項５に記載の無線送信／受信ユニット。
【請求項９】
高速肯定応答／否定応答レポーティング（ＦＡＮＲ）動作の方法であって、
前記方法は、
肯定応答／否定応答（ＡＣＫ／ＮＡＣＫ）ポーリング方式に関する情報と、対応する無線リンク制御／メディアアクセス制御（ＲＬＣ／ＭＡＣ）データブロックのピギーバックＡＣＫ／ＮＡＣＫ（ＰＡＮ）フィールドの存在又は欠如とを同時に示す連続４ビットを含むＲＬＣ／ＭＡＣヘッダを生成するステップであって、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、生成するステップと、
前記ＲＬＣ／ＭＡＣヘッダと前記対応するＲＬＣ／ＭＡＣデータブロックとを送信するステップと
を備えることを特徴とする方法。
【請求項１０】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項９に記載の方法。
【請求項１１】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項９に記載の方法。
【請求項１２】
前記ＲＬＣ／ＭＡＣデータブロックは、ＧＳＭ／ＥＤＧＥ無線アクセスネットワーク（ＧＥＲＡＮ）を介して送信されることを特徴とする請求項９に記載の方法。
【請求項１３】
高速肯定応答／否定応答レポーティング（ＦＡＮＲ）動作のための装置であって、
前記装置は、
肯定応答／否定応答（ＡＣＫ／ＮＡＣＫ）ポーリング方式に関する情報と、対応する無線リンク制御／メディアアクセス制御（ＲＬＣ／ＭＡＣ）データブロックのピギーバックＡＣＫ／ＮＡＣＫ（ＰＡＮ）フィールドの存在又は欠如とを同時に示す連続４ビットを含むＲＬＣ／ＭＡＣヘッダを生成するように構成されたコントローラであって、前記連続４ビットのうち１ビットが前記対応するＲＬＣ／ＭＡＣデータブロックの前記ＰＡＮフィールドの存在又は欠如を示すように割り当てられ、前記ＰＡＮフィールドの存在又は欠如を示すように割り当てられたビットと前記連続４ビットのうち残りの３ビットとの複数のビット組合せのそれぞれは、前記ＡＣＫ／ＮＡＣＫポーリング方式と前記対応するＲＬＣ／ＭＡＣデータブロックの前記ＰＡＮフィールドの存在又は欠如との異なる組合せを示す、コントローラと、
前記ＲＬＣ／ＭＡＣヘッダと前記対応するＲＬＣ／ＭＡＣデータブロックとを送信するように構成されたトランシーバと
を備えることを特徴とする装置。
【請求項１４】
前記連続４ビットの前記ＡＣＫ／ＮＡＣＫポーリング方式に関する前記情報は、相対予約ブロック期間（ＲＲＢＰ）インジケータ及び拡張汎用パケット無線サービス（Ｅ−ＧＰＲＳ）補助ポーリング（ＥＳ／Ｐ）インジケータを含むことを特徴とする請求項１３に記載の装置。
【請求項１５】
前記ＲＬＣ／ＭＡＣデータブロックの前記ＰＡＮフィールドは、第１の無線送信／受信ユニット（ＷＴＲＵ）にアドレス指定され、前記ＲＬＣ／ＭＡＣデータブロックのデータは、第２のＷＴＲＵにアドレス指定されていることを特徴とする請求項１３に記載の装置。
【請求項１６】
前記ＲＬＣ／ＭＡＣデータブロックは、ＧＳＭ／ＥＤＧＥ無線アクセスネットワーク（ＧＥＲＡＮ）を介して送信されることを特徴とする請求項１３に記載の装置。
【発明の詳細な説明】
【技術分野】
【０００１】
本出願は、ワイヤレス通信システムに関する。
【背景技術】
【０００２】
待ち時間削減は、ＧＳＭ／ＥＤＧＥ無線アクセスネットワーク（ＧＥＲＡＮ）で考慮すべき点のうちの１つである。待ち時間削減のために、短縮伝送時間間隔（ｒｅｄｕｃｅｄ  ｔｒａｎｓｍｉｓｓｉｏｎ  ｔｉｍｅ  ｉｎｔｅｒｖａｌ）（ＲＴＴＩ）と、高速肯定応答／否定応答（ＡＣＫ／ＮＡＣＫ）レポーティング（ＦＡＮＲ）という２つの技法が提案された。
【０００３】
現在のＧＥＲＡＮプロトコルの下で、ネットワークは、ポーリングを介して、移動局からフィードバックデータ（すなわち、ダウンリンクデータパケットのＡＣＫ／ＮＡＣＫ）を得ることができる。ポーリングは、拡張汎用パケット無線サービス（ｅｖｏｌｖｅｄ  ｇｅｎｅｒａｌ  ｐａｃｋｅｔ  ｒａｄｉｏ  ｓｅｒｖｉｃｅ）（ＥＧＰＲＳ）補助ポーリング（ＥＳ／Ｐ）フィールドによって示される。２つのＥＳ／Ｐビットは、相対予約ブロック期間（ｒｅｌａｔｉｖｅ  ｒｅｓｅｒｖｅｄ  ｂｌｏｃｋ  ｐｅｒｉｏｄ）（ＲＲＢＰ）フィールドが有効か否か、および次のアップリンク制御ブロックが何のフィールドを含むかを示す。
【０００４】
図１〜３は、それぞれ従来型ＥＧＰＲＳダウンリンク無線リンク制御／メディアアクセス制御（ＲＬＣ／ＭＡＣ）ヘッダタイプ１、２、および３を示す。ＥＳ／ＰフィールドとＲＲＢＰフィールドはどちらも、３つのすべてのＲＬＣ／ＭＡＣヘッダタイプ内に存在する。表１は、従来型２ビットＥＳ／Ｐフィールドの意味を示す。
【０００５】
【表１】
0005162657.tif 000002
【０００６】
従来、ＡＣＫ／ＮＡＣＫレポートは、ＲＬＣ／ＭＡＣ制御ブロックとも呼ばれる明示的メッセージで送信される。ＡＣＫ／ＮＡＣＫレポートは、一時ブロックフロー（Ｔｅｍｐｏｒａｒｙ  Ｂｌｏｃｋ  Ｆｌｏｗ）（ＴＢＦ）と呼ばれる特定の無線源にアドレス指定される。ＴＢＦは、データの単一方向転送をサポートするための、移動局とネットワークとの間の一時的接続である。ＴＢＦは一時的であり、データ転送の期間中だけ維持される。
【０００７】
あるＴＢＦに対するＡＣＫ／ＮＡＣＫフィードバックを、別のＴＢＦにアドレス指定される可能性のあるＲＬＣ／ＭＡＣデータブロック上に「ピギーバックする」ことが提案されている。このＡＣＫ／ＮＡＣＫフィードバックを搬送するフィールドは、「ピギーバックＡＣＫ／ＮＡＣＫ（ＰＡＮ）フィールド」と呼ばれる。ＲＬＣ／ＭＡＣデータブロック内のＰＡＮフィールドの存在または欠如が、ＰＡＮインジケータ（ＰＡＮＩ）によって示される。
【０００８】
ＰＡＮＩを送信するために、図１〜３に示されるように、ダウンリンクデータパケットヘッダ内に余分なビットを含めることができる。しかし、現在のところ、ダウンリンクデータパケットヘッダ内には利用可能なスペースがない。一方のビットがＲＲＢＰフィールド用に使用され、他方のビットがＰＡＮＩ用に使用されるように、従来型２ビットＲＲＢＰフィールドを分割することが提案されている。表２および表３は、１ビットＲＲＢＰフィールドおよび１ビットＰＡＮＩフィールドの意味を示す。
【０００９】
【表２】
0005162657.tif 000003
【００１０】
【表３】
0005162657.tif 000004
【発明の概要】
【発明が解決しようとする課題】
【００１１】
この提案によれば、ヘッダサイズは同じままである。しかし、ビット組合せに冗長性がある。ＥＳ／Ｐビットが「００」である場合（すなわち、ポーリング要求がないとき）、ＲＲＢＰビットとＰＡＮＩビットの組合せは、３つの組合せの浪費を含む。したがって、ＰＡＮＩ、ＲＲＢＰ、およびポーリングインジケータのより効率的なシグナリングのための方式を提供することが望ましい。
【課題を解決するための手段】
【００１２】
ＰＡＮＩおよびポーリングインジケータを提供する方法および装置が開示される。ＰＡＮＩビット、ＲＲＢＰビット、およびＥＳ／Ｐフィールドの組合せフィールドが、ポーリング方式と、ＰＡＮフィールドの存在とを示すことができる。あるいは、特定のトレーニングシーケンスを使用することによってデータブロック内のＰＡＮフィールドの存在を示すこともできる。あるいは、ヘッダを含むデータブロックに対して前方誤り訂正（ＦＥＣ）コーディングを実施することもでき、ヘッダに対応する符号化ビットを特定のスクランブリングシーケンスでスクランブリングすることによってＰＡＮフィールドの存在を示すことができる。あるいは、ヘッダチェックシーケンス（ＨＣＳ）を生成することもでき、所定のシーケンスをＨＣＳと混合することによってＰＡＮフィールドの存在が示される。ブロックシーケンス番号２（ＢＳＮ２）ビットを使用して、ＰＡＮフィールドの存在を示すことができる。
【００１３】
添付の図面と共に例として与えられる以下の説明から、より詳細な理解を得ることができる。
【図面の簡単な説明】
【００１４】
【図１】従来型ＥＧＰＲＳダウンリンクＲＬＣ／ＭＡＣヘッダタイプ１を示す図である。
【図２】従来型ＥＧＰＲＳダウンリンクＲＬＣ／ＭＡＣヘッダタイプ２を示す図である。
【図３】従来型ＥＧＰＲＳダウンリンクＲＬＣ／ＭＡＣヘッダタイプ３を示す図である。
【図４】第３実施形態による基地局のブロック図である。
【図５】第３実施形態によるＷＴＲＵのブロック図である。
【図６】第４実施形態による基地局のブロック図である。
【図７】第４実施形態によるＷＴＲＵのブロック図である。
【発明を実施するための形態】
【００１５】
以下では、「ワイヤレス送信／受信ユニット（ＷＴＲＵ）」という用語は、限定はしないが、ユーザ装置（ＵＥ）、移動局、固定または移動サブスクライバユニット、ページャ、携帯電話、携帯情報端末（ＰＤＡ）、コンピュータ、またはワイヤレス環境で動作することのできる他の任意のタイプのユーザ装置を含む。以下では、「基地局」という用語は、限定はしないが、Ｎｏｄｅ−Ｂ、サイトコントローラ、アクセスポイント（ＡＰ）、あるいはワイヤレス環境で動作することのできる他の任意のインターフェーシング装置を含む。
【００１６】
第１実施形態によれば、ＲＬＣ／ＭＡＣヘッダ内の１ビットＰＡＮＩフィールド、１ビットＲＲＢＰフィールド、および２ビットＥＳ／Ｐフィールドが互いに組み合わされ、ポーリング方式と、データブロック内のＰＡＮフィールドの存在とが示される。ＰＡＮＩフィールド、ＲＲＢＰフィールド、およびＥＳ／Ｐフィールドのビット組合せは、どんな冗長性も有さない。例示的なＰＡＮＩ、ＲＲＢＰ、およびＥＳ／Ｐビットの組合せとその意味が、表４に示される。
【００１７】
表４では、左側から見た第１ビットがＰＡＮＩフィールドであり、第２ビットがＲＲＢＰフィールドであり、第３および第４ビットがＥＳ／Ｐフィールドである。第１ビット（すなわちＰＡＮＩフィールド）が「１」にセットされるとき、第１ビットは、ＰＡＮフィールドがデータブロック内に含まれることを示し、第１ビットが「０」にセットされる場合、第１ビットは、ＰＡＮフィールドがデータブロック内に含まれないことを示す。表４のビット組合せは、限定としてではなく一例として与えられるものであり、他の任意の組合せを使用することができ、他の任意の意味をビット組合せと関連付けることができることに留意されたい。
【００１８】
【表４】
0005162657.tif 000005
【００１９】
例えば、ビット組合せ０１００および１０００を使用して、追加のポーリング方式（例えば、従来型ＲＲＢＰビットを２から１に削減する際に省略されるもの）を指定することができ、あるいはチャネル品質レポート（ＣＱＲ）および次の部分ビットマップ（Ｎｅｘｔ  Ｐａｒｔｉａｌ  Ｂｉｔｍａｐ：ＮＰＢ）の両方を送るのに十分なスペースがないとき、チャネル品質レポート（ＣＱＲ）または次の部分ビットマップ（ＮＰＢ）のレポーティングを要求することができる。パラメータＭを適切に選ぶことができる。
【００２０】
第２実施形態によれば、トレーニングシーケンスが使用されて、ＲＬＣ／ＭＡＣデータブロック内のＰＡＮフィールドの存在が示される。現行のＧＥＲＡＮ仕様の下では、８個のトレーニングシーケンスのうちの１つが、セル内のＷＴＲＵとネットワークとの間の通信のために使用される。第２実施形態によれば、８個のトレーニングシーケンスグループが、２つのトレーニングシーケンスを有する各グループと共に定義される。１つのトレーニングシーケンスが、セル内でＷＴＲＵとネットワークとの間のすべての通信について使用され、そのトレーニングシーケンスグループ内の別のトレーニングシーケンスを使用することにより、ＲＬＣ／ＭＡＣデータブロック内のＰＡＮフィールドの存在が示される。
【００２１】
第３実施形態によれば、スクランブリングコードが使用されて、ＲＬＣ／ＭＡＣデータブロック内のＰＡＮフィールドの存在が示される。図４は、第３実施形態による基地局４００のブロック図である。基地局４００は、データブロック処理エンティティ４０２、エンコーダ４０４、スクランブラ４０６、およびトランシーバ４０８を含む。データブロック処理エンティティ４０２は、ヘッダを含むデータブロックを生成する。ヘッダは、ＥＳ／ＰフィールドおよびＲＲＢＰフィールドを含む。エンコーダ４０４は、ヘッダを含むデータブロックに対してＦＥＣコーディングを実施する。データブロックがＰＡＮフィールドを含まない場合、従来技術と同様に、データブロックがトランシーバ４０８によって送信される。データブロックがＰＡＮフィールドを含む場合、スクランブラ４０６が、ヘッダに対応する符号化ビットをスクランブリングシーケンスでスクランブリングし、スクランブリングされたビットを含むデータブロックが、トランシーバ４０８によって送信される。
【００２２】
スクランブリングのために、符号化ビットが、事前指定されたスクランブリングシーケンスにｍｏｄｕｌｏ−２加算される。スクランブリングシーケンスの長さは、ヘッダに対応する符号化ビットの長さと同じでよい。スクランブリングシーケンスは固有であり、基地局とＷＴＲＵのどちらにも既知である。スクランブリングコードをいくつかの方式で生成することができ、またはスクランブリングコードとオール「ゼロ」シーケンスとの間の距離が最大にされるという基準に従って選択することができる。
【００２３】
図５は、第３実施形態によるＷＴＲＵ５００のブロック図である。ＷＴＲＵ５００は、トランシーバ５０２、デコーダ５０４、デスクランブラ５０６、およびコントローラ５０８を含む。トランシーバ５０２は、基地局４００からデータブロックのビットシーケンスを受信する。従来技術と同様に、デコーダ５０４は、受信されたビットシーケンスに対してＦＥＣ復号化を実施する。データブロックがＰＡＮフィールドを含まず、したがってヘッダに対応するビットが基地局４００でスクランブリングされなかった場合、デコーダ５０４は、復号化に成功することができる。しかし、データブロックがＰＡＮフィールドを含み、したがってヘッダに対応するビットが基地局４００でスクランブリングされた場合、受信されたビットシーケンスが、あまりにも多くのビット誤りを有するために拒絶される。受信されたビットシーケンスが拒絶される場合、ヘッダに対応する、受信されたビットが、デスクランブラ５０６によってスクランブリング解除される（すなわち、スクランブリングシーケンスとｍｏｄｕｌｏ−２加算される）。次いで、ビットシーケンスのスクランブリング解除されたヘッダ部分を伴う、受信されたビットシーケンスが、デコーダ５０４によって再び復号化される。第２ＦＥＣ復号化に成功した場合、コントローラ５０８は、ＰＡＮフィールドがデータブロック内に含まれることを検出する。
【００２４】
第４実施形態によれば、修正後ＨＣＳが使用され、ＰＡＮフィールドの存在が示される。データ転送のための無線ブロックは、１つのＲＬＣ／ＭＡＣヘッダ、ＨＣＳ、１つまたは複数のＲＬＣデータブロック（複数可）、およびブロックチェックシーケンス（ＢＣＳ）を含む。データブロックは、ＰＡＮフィールドおよび任意選択のＰＡＣチェックシーケンス（ＰＣＳ）を含むことができる。ＨＣＳは、ＲＬＣ／ＭＡＣヘッダのエラー検出のために使用される。ＨＣＳは８ビット長でよい。
【００２５】
図６は、第４実施形態による基地局６００のブロック図である。基地局６００は、データブロック処理エンティティ６０２、ＨＣＳエンコーダ６０４、ｍｏｄｕｌｏ−２加算器６０６、およびトランシーバ６０８を含む。データブロック処理ユニット６０２は、ヘッダを含むデータブロックを生成する。ヘッダは、ＥＳ／ＰフィールドおよびＲＲＢＰフィールドを含む。ＨＣＳエンコーダ６０４はＨＣＳを生成する。無線ブロックがＰＡＮフィールドを含まない場合、従来技術と同様に、無線ブロックが、トランシーバ６０８によって送信される。無線ブロックがＰＡＮフィールドを含む場合、ｍｏｄｕｌｏ−２加算器６０６は、所定のシーケンスをＨＣＳに加算し、修正後ＨＣＳを伴う無線ブロックが、トランシーバ６０８によって送信される。例えば、所定のシーケンスとしてシーケンス１１１１１１１１を使用することができる。この場合、ＨＣＳビットが反転される。
【００２６】
図７は、第４実施形態によるＷＴＲＵ７００のブロック図である。ＷＴＲＵ７００は、トランシーバ７０２、ＨＣＳデコーダ７０４、ｍｏｄｕｌｏ−２加算器７０６、およびコントローラ７０８を含む。トランシーバ７０２は、基地局６００からデータブロックを受信する。ＨＣＳデコーダ７０４は、データブロックの受信されたヘッダと、受信されたＨＣＳで、ＨＣＳ復号化を実施する。ヘッダがエラーフリーで受信された（すなわち、ＨＣＳチェックに合格した）場合、コントローラ７０８は、ＲＬＣ／ＭＡＣデータブロック内にＰＡＮが存在しないと想定することができる。ＨＣＳチェックに不合格であった場合、受信したヘッダが、ｍｏｄｕｌｏ−２加算器７０６によって所定のシーケンスとｍｏｄｕｌｏ−２加算され、ＨＣＳチェックが再び実施される。第２ＨＳＣチェックに合格した場合、コントローラ７０８は、ヘッダが正しく、ＰＡＮフィールドがＲＬＣ／ＭＡＣデータブロック内に含まれると想定することができる。
【００２７】
第５実施形態によれば、ブロックシーケンス番号（ＢＳＮ）を使用して、ＰＡＮフィールドの存在をシグナリングすることができる。現在のところ、ヘッダは、１１ビットＢＳＮ１および１０ビットＢＳＮ２を含む。ＢＳＮ１が指定されると、ＢＳＮ２は、ＢＳＮ１の一定の近傍以内となるように強制される。近傍は、ウィンドウサイズ（ＷＳ）によって指定される。従来、１０ビットのＷＳで十分である。第５実施形態によれば、現行のＷＳが半分にされ、したがってＢＳＮ２をシグナリングするのに必要なのは９ビットだけである。ヘッダ内の未使用の第１０ＢＳＮ２ビットを使用して、ＰＡＮＩを示すことができる。
【００２８】
実施形態
１．ＰＡＮＩおよびポーリングインジケータを提供する方法。  
２．ＰＡＮＩビット、ＲＲＢＰビット、およびＥＳ／Ｐフィールドを含む組合せフィールドを設定して、ポーリング方式と、データブロック内のＰＡＮフィールドの存在とを示すことを含む実施形態１の方法。  
３．組合せフィールドを含むデータブロックを送信することを含む実施形態２の方法。
４．ＰＡＮＩおよびポーリングインジケータを検出する方法。  
５．データブロックを受信することを含み、データブロックが、ＰＡＮＩビット、ＲＲＢＰビット、およびＥＳ／Ｐフィールドの組合せフィールドを含む実施形態４の方法。 
６．組合せフィールドに基づいて、ポーリング方式と、データブロック内のＰＡＮフィールドの存在とを求めることを含む実施形態５の方法。  
７．ポーリングインジケータを含むデータブロックを生成することを含む実施形態１の方法。  
８．データブロック内のＰＡＮフィールドの存在を示すために予約されたトレーニングシーケンスと共にデータブロックを送信することを含む実施形態７の方法。  
９．トレーニングシーケンスが、セル内で使用される２つのトレーニングシーケンスのうちの一方である実施形態８の方法。  
１０．トレーニングシーケンスと、ポーリングインジケータを含むデータブロックとを受信することを含む実施形態４の方法。  
１１．トレーニングシーケンスがデータブロック内のＰＡＮフィールドの存在を示すために予約されたものである場合、データブロックがＰＡＮフィールドを含むことを検出することを含む実施形態１０の方法。  
１２．トレーニングシーケンスが、セル内で使用される２つのトレーニングシーケンスのうちの一方である実施形態１０〜１１のいずれか１つの方法。  
１３．ヘッダを含むデータブロックを生成することを含み、ヘッダがポーリングインジケータを含む実施形態１の方法。  
１４．ヘッダを含むデータブロックに対してＦＥＣコーディングを実施することを含む実施形態１３の方法。  
１５．データブロックがＰＡＮフィールドを含む場合、スクランブリングシーケンスでヘッダに対応する符号化ビットをスクランブリングすることを含む実施形態１４の方法。
１６．データブロックの符号化ビットを受信することを含む実施形態４の方法。  
１７．受信された符号化ビットに対してＦＥＣ復号化を実施することを含む実施形態１６の方法。  
１８．ＦＥＣ復号化に失敗した場合、受信された符号化ビットをスクランブリングコードでスクランブリング解除することを含む実施形態１７の方法。  
１９．スクランブリング解除されたビットに対してＦＥＣ復号化を実施することを含む実施形態１８の方法。  
２０．スクランブリング解除されたビットに対するＦＥＣ復号化に成功した場合、ＰＡＮフィールドがデータブロック内に含まれることを検出することを含む実施形態１９の方法。  
２１．ヘッダを含むデータブロックを生成することを含み、ヘッダがポーリングインジケータを含む実施形態１の方法。  
２２．ＨＣＳを生成することを含む実施形態２１の方法。  
２３．ＰＡＮフィールドがデータブロック内に含まれる場合、所定のシーケンスをＨＣＳと混合することを含む実施形態２２の方法。  
２４．データブロックを送信することを含む実施形態２３の方法。  
２５．データブロックを受信することを含む実施形態４の方法。  
２６．データブロックのヘッダと、データブロック内に含まれるＨＣＳとでＨＣＳ復号化を実施することを含む実施形態２５の方法。  
２７．ＨＣＳに失敗した場合、所定のシーケンスをＨＣＳと混合することを含む実施形態２６の方法。  
２８．ヘッダおよび混合されたＨＣＳで第２ＨＣＳ復号化を実施することを含む実施形態２７の方法。  
２９．第２ＨＣＳ復号化に成功した場合、データブロックがＰＡＮフィールドを含むことを検出することを含む実施形態２８の方法。  
３０．ＰＡＮＩおよびポーリングインジケータを提供するように構成された装置。  
３１．ＰＡＮＩビット、ＲＲＢＰビット、およびＥＳ／Ｐフィールドを含む組合せフィールドを設定して、ポーリング方式と、データブロック内のＰＡＮフィールドの存在とを示すデータブロック処理エンティティを備える実施形態３０の装置。  
３２．組合せフィールドを含むデータブロックを送信するトランシーバを備える実施形態３１の装置。  
３３．ＰＡＮＩおよびポーリングインジケータをサポートする装置。  
３４．データブロックを受信するトランシーバを備え、データブロックが、ＰＡＮＩビット、ＲＲＢＰビット、およびＥＳ／Ｐフィールドの組合せフィールドを含む実施形態３３の装置。  
３５．組合せフィールドに基づいて、ポーリング方式と、データブロック内のＰＡＮフィールドの存在とを求めるコントローラを備える実施形態３４の装置。  
３６．ポーリングインジケータを含むデータブロックを生成するデータブロック処理エンティティを備える実施形態３０の装置。  
３７．データブロック内のＰＡＮフィールドの存在を示すために予約されたトレーニングシーケンスと共にデータブロックを送信するトランシーバを備える実施形態３６の装置。  
３８．トレーニングシーケンスが、セル内で使用される２つのトレーニングシーケンスのうちの一方である実施形態３７の装置。  
３９．トレーニングシーケンスと、ポーリングインジケータを含むデータブロックとを受信するトランシーバを備える実施形態３３の装置。  
４０．トレーニングシーケンスがデータブロック内のＰＡＮフィールドの存在を示すために予約されたものである場合、データブロックがＰＡＮフィールドを含むことを検出するコントローラを備える実施形態３９の装置。  
４１．トレーニングシーケンスが、セル内で使用される２つのトレーニングシーケンスのうちの一方である実施形態３９〜４０のいずれか１つの装置。  
４２．ヘッダを含むデータブロックを生成するデータブロック処理エンティティを備え、ヘッダがポーリングインジケータを含む実施形態３０の装置。  
４３．ヘッダを含むデータブロックに対してＦＥＣコーディングを実施することを含む実施形態４２の装置。  
４４．データブロックがＰＡＮフィールドを含む場合、スクランブリングシーケンスでヘッダに対応する符号化ビットをスクランブリングするスクランブラを備える実施形態４３の装置。  
４５．スクランブリングされたビットを含むデータブロックを送信するトランシーバを備える実施形態４４の装置。  
４６．データブロックの符号化ビットを受信するトランシーバを備える実施形態３３の装置。  
４７．受信された符号化ビットに対してＦＥＣ復号化を実施するデコーダを備える実施形態４６の装置。  
４８．ＦＥＣ復号化に失敗した場合、受信された符号化ビットをスクランブリングコードでスクランブリング解除するデスクランブラを備え、スクランブリング解除されたビットがデコーダで復号化される実施形態４７の装置。  
４９．スクランブリングされたビットに対するＦＥＣ復号化に成功した場合、ＰＡＮフィールドがデータブロック内に含まれることを検出するコントローラを備える実施形態４８の装置。  
５０．ヘッダを含むデータブロックを生成するデータブロック処理エンティティを備え、ヘッダがポーリングインジケータを含む実施形態３０の装置。  
５１．ＨＣＳを生成するエンコーダを備える実施形態５０の装置。  
５２．ＰＡＮフィールドがデータブロック内に含まれる場合、所定のシーケンスをＨＣＳと混合するｍｏｄｕｌｏ−２加算器を備える実施形態５１の装置。  
５３．データブロックを送信するトランシーバを備える実施形態５２の装置。  
５４．データブロックを受信するトランシーバを備える実施形態３３の装置。  
５５．データブロックのヘッダと、データブロック内に含まれるＨＣＳとでＨＣＳ復号化を実施するデコーダを備える実施形態５４の装置。  
５６．ＨＣＳに失敗した場合、所定のシーケンスをＨＣＳと混合するｍｏｄｕｌｏ−２加算器を備え、第２ＨＣＳ復号化が、ヘッダおよび混合されたＨＣＳでデコーダによって実施される実施形態５５の装置。  
５７．第２ＨＣＳ復号化に成功した場合、データブロックがＰＡＮフィールドを含むことを検出するコントローラを備える実施形態５６の装置。  
５８．ＰＡＮＩを提供する方法。  
５９．ＰＡＮフィールドを含むデータブロックを生成することを含む実施形態５８の方法。  
６０．ＢＳＮ２ビットのうちの１つを設定して、データブロック内のＰＡＮフィールドの存在を示すことを含む実施形態５９の方法。  
６１．データブロックを送信することを含む実施形態６０の方法。  
６２．ＰＡＮＩを検出する方法。  
６３．データブロックを受信することを含む実施形態６２の方法。  
６４．ＢＳＮ２ビットのうちの１つに基づいて、データブロック内のＰＡＮフィールドの存在を検出することを含む実施形態６３の方法。  
６５．ＰＡＮＩを提供する装置。  
６６．ＰＡＮフィールドを含むデータブロックを生成し、ＢＳＮ２ビットのうちの１つを設定して、データブロック内のＰＡＮフィールドの存在を示すデータブロック処理エンティティを備える実施形態６５の装置。  
６７．データブロックを送信するトランシーバを備える実施形態６６の装置。  
６８．ＰＡＮＩを検出する装置。  
６９．データブロックを受信するトランシーバを備える実施形態６８の装置。  
７０．ＢＳＮ２ビットのうちの１つに基づいて、データブロック内のＰＡＮフィールドの存在を検出するコントローラを備える実施形態６９の装置。
【００２９】
上記では特徴および要素を特定の組合せで説明したが、各特徴または要素を他の機能および要素なしに単独で使用することができ、あるいは他の機能および要素と様々に組み合わせて、または組み合わせずに使用することができる。本明細書で与えられる方法またはフローチャートを、汎用コンピュータまたはプロセッサで実行するためにコンピュータ可読記憶媒体内に組み込まれたコンピュータプログラム、ソフトウェア、またはファームウェアとして実装することができる。コンピュータ可読記憶媒体の例は、読取り専用メモリ（ＲＯＭ）、ランダムアクセスメモリ（ＲＡＭ）、レジスタ、キャッシュメモリ、半導体メモリ装置、内蔵ハードディスクや取外し可能ディスクなどの磁気媒体、光磁気媒体、ＣＤ−ＲＯＭディスクやデジタルバーサタイルディスク（ＤＶＤ）などの光媒体を含む。
【００３０】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のタイプの集積回路（ＩＣ）、および／または状態マシンを含む。
【００３１】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用される無線周波数トランシーバを実装することができる。カメラ、ビデオカメラモジュール、ビデオフォン、スピーカフォン、バイブレーション装置、スピーカ、マイクロフォン、テレビジョントランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールまたは超広帯域（ＵＷＢ）モジュールなどのハードウェアおよび／またはソフトウェアで実装されたモジュールと共にＷＴＲＵを使用することができる。
【図１】
0005162657.tif 000006
【図２】
0005162657.tif 000007
【図３】
0005162657.tif 000008
【図４】
0005162657.tif 000009
【図５】
0005162657.tif 000010
【図６】
0005162657.tif 000011
【図７】
0005162657.tif 000012